(57)【要約】【課題】火災時にその管路を閉塞し、火炎、煙等が流通しないようにする。【解決手段】排水配管継手は、非耐火性材料で形成され、建築物に施工された際に、床スラブ２の貫通孔７に配される管本体１１、床スラブの上方に突出し上階からの排水を流入させる排水立管５を接続する上立管接続部６ａ、床スラブの下方に突出し下階に排水を流下させる排水立管５に接続する下立管接続部６ｂ、および床スラブの上方で排水横枝管と接続される横枝管接続部１２を備え、建築物に施工された際に管本体における床スラブの貫通孔に対応する位置に熱膨張性耐火材９が埋設されている。【選択図】図４
2014098305.tif 000002
【特許請求の範囲】
【請求項１】
非耐火性材料で形成され、
建築物に施工された際に、床スラブの貫通孔に配される管本体、前記床スラブの上方に突出し上階からの排水を流入させる排水立管を接続する上立管接続部、前記床スラブの下方に突出し下階に排水を流下させる排水立管に接続する下立管接続部、および前記床スラブの上方で排水横枝管と接続される横枝管接続部を備え、
前記横枝管接続と前記下立管接続部との間であって、建築物に施工された際に前記床スラブより下方位置となる前記管本体の内面には旋回羽根が形成され、
建築物に施工された際に前記管本体における前記床スラブの貫通孔内に位置することになる部分に熱膨張性耐火材が埋設された
ことを特徴とする排水配管継手。
【請求項２】
前記熱膨張性耐火材が、建築物に施工された際に前記管本体における前記床スラブの貫通孔内に位置する上下幅にわたって埋設された
請求項１に記載の排水配管継手。
【請求項３】
前記熱膨張性耐火材が前記管本体の全周にわたって埋設された
請求項１または請求項２に記載の排水配管継手。
【発明の詳細な説明】
【技術分野】
【０００１】
本発明は、建築物の床スラブを貫通して設けられる排水配管継手に関する。
【背景技術】
【０００２】
従来、建築物における排水配管構造として、樹脂製の排水集合管を排水配管継手として使用し、樹脂製の排水管等を接続したものがある（例えば、特許文献１参照）。
【先行技術文献】
【特許文献】
【０００３】
【特許文献１】特開平２−２７２１１８号公報
【発明の概要】
【発明が解決しようとする課題】
【０００４】
例えば、上記のような樹脂製排水配管継手を建築物の床スラブの貫通部に設けて配管をした場合に、火災時に樹脂製排水管、樹脂製排水配管継手が燃焼すると、床スラブよりも下の階の火炎、煙、ガス等が樹脂製排水配管継手を通じて上の階に流出し、延焼を招くおそれがある。
本発明は、上記の事情に鑑みてなされたものであり、熱膨張性耐火材を備えることで、火災時にその管路を閉塞し、火炎、煙等の流通を遮断できるようにした排水配管継手を提供することを目的とする。
【課題を解決するための手段】
【０００５】
本発明は、上記の課題を解決するために、以下の技術的手段を講じた。
すなわち、本発明に係る排水配管継手は、非耐火性材料で形成され、建築物に施工された際に、床スラブの貫通孔に配される管本体、前記床スラブの上方に突出し上階からの排水を流入させる排水立管を接続する上立管接続部、前記床スラブの下方に突出し下階に排水を流下させる排水立管に接続する下立管接続部、および前記床スラブの上方で排水横枝管と接続される横枝管接続部を備え、前記横枝管接続と前記下立管接続部との間であって、建築物に施工された際に前記床スラブより下方位置となる前記管本体の内面には旋回羽根が形成され、建築物に施工された際に前記管本体における前記床スラブの貫通孔内に位置することになる部分に熱膨張性耐火材が埋設される。
【０００６】
好ましくは、前記熱膨張性耐火材が、建築物に施工された際に前記管本体における前記床スラブの貫通孔内に位置する上下幅にわたって埋設される。さらに好ましくは、前記熱膨張性耐火材が前記管本体の全周にわたって埋設される。
【発明の効果】
【０００７】
本発明によれば、熱膨張性耐火材を設けることで、火災時にその管路を閉塞し、火炎、煙等の流通を遮断できる。
【図面の簡単な説明】
【０００８】
【図１】排水配管構造の形態を示す部分断面図である。
【図２】排水配管構造の他の形態を示す部分断面図である。
【図３】排水配管構造の他の形態を示す部分断面図である。
【図４】排水配管構造の他の形態を示す部分断面図である。
【図５】排水配管構造の他の形態を示す部分断面図である。
【図６】排水配管構造の他の形態を示す部分断面図である。
【発明を実施するための形態】
【０００９】
以下、図面を参照しながら本発明の実施の形態を説明する。
図１の形態において、排水配管構造１は、建築物における床スラブ２を上下に貫通する貫通部３に設けられる非耐火性の樹脂製排水配管継手４と、この樹脂製排水配管継手４に接続される樹脂製の排水立管５とを有している。ここで、「非耐火性」とは、建築物内で火災が生じたときに、これによる熱によって変形、溶融または燃焼可能な性質をいい、例えば樹脂製のものが該当する。
【００１０】
前記樹脂製排水配管継手４、排水立管５は、例えば塩化ビニル、ポリエチレン、ポリブ
デン、ポリプロピレンあるいはナイロン等によって成形されている。なお、排水立管５には、例えばいわゆる耐火２層管を用いてもよい。
樹脂製排水配管継手４は直管状に構成されており、その上下各端部には、排水立管５を接続するための立管接続部６（上立管接続部６ａ、下立管接続部６ｂ）が設けられている。この樹脂製排水配管継手４は、床スラブ２に形成された貫通孔７に挿通されており、その上部が床スラブ２の上面２ａから上方に突出され、上立管接続部６ａに上側の排水立管５が接続されている。また、この樹脂製排水配管継手４の下部は、床スラブ２の下面２ｂから下方に突出され、下立管接続部６ｂに下側の排水立管５が接続されている。
【００１１】
樹脂製排水配管継手４の中途部は、床スラブ２の貫通孔７に挿通された状態で、貫通孔７をモルタル８等によって埋め戻すことによって貫通部３に固定されている。
樹脂製排水配管継手４の中途部外周面には、熱膨張性耐火材９が設けられている。この熱膨張性耐火材９は、例えば、ブチルゴムを主成分とする樹脂分、リン化合物、中和処理された熱膨張性黒鉛、含水無機物及び金属炭酸塩を含有する樹脂組成物、または、エポキシ樹脂、リン化合物、中和処理された熱膨張性黒鉛および無機充填剤を含有する樹脂組成物等から形成される。この熱膨張性耐火材９には、例えば積水化学工業株式会社製の商品名「フィブロック」（反応温度２００℃で５〜４０倍に膨張）が使用される。また、この他に、因幡電機産業株式会社製の商品名「熱膨張性耐熱シール材ＩＰ」（１２０℃から膨張を開始し、体積が４倍以上に膨張する）や、ニチアス株式会社製の商品名「パーモフレックス（熱膨張性シート）」（８５０℃、３０分加熱後に発泡して４倍以上に膨張する）や、株式会社古河テクノマテリアル製の商品名「ヒートメル」（膨張開始温度１２０℃、顕著な膨張温度２６０℃、４〜８倍に膨張する）等を熱膨張耐火材９として使用できる。なお、熱膨張性耐火材９は、上記したものに限らず、他の種々のものを使用できる。
【００１２】
このように、熱膨張性耐火材９は、反応温度、膨張率の異なる多種多様のものを使用でき、したがって建築物内の施工場所に応じて要求される反応温度、管径等の諸条件を満たす最適なものを選択して使用できる。
この熱膨張性耐火材９は、シート状に形成されており、樹脂製排水配管継手４の中途部の外周面に巻き付けられている。
【００１３】
この形態では、熱膨張性耐火材９は、樹脂製排水配管継手４が貫通部３に埋設された部分全てに巻き付けられており、したがって、熱膨張性耐火材９の上下方向の幅はスラブ厚とほぼ同じになっている。
この熱膨張性耐火材９は、図１に示すように、樹脂製排水配管継手４の外周面と、床スラブ２の貫通孔７に充填されたモルタル８との間に介在しており、火災時に樹脂製排水配管継手４または排水立管５が燃焼した場合に、その熱によって樹脂製排水配管継手４の径方向内方に膨張し、樹脂製排水配管継手４を外側から押しつぶして排水管路を閉塞するようになっている。これによって、排水配管構造１は、火災時に火炎、煙等が流通しないように管路を遮断できるようになっている。
【００１４】
図２の他の形態では、樹脂製排水配管継手４の外周面に設けられた熱膨張性耐火材９の位置または幅が上記した形態と異なる。
上記した排水配管構造では、熱膨張性耐火材９は、スラブ厚とほぼ同じ幅で樹脂製排水配管継手４に設けられていたが、この形態では、樹脂製排水配管継手４の外周面に設けられた熱膨張性耐火材９は、その上下方向の幅がスラブ厚よりも小さくなっている。そして、この熱膨張性耐火材９は、床スラブ２の貫通部３の下側、すなわち床スラブ２の下面２ｂ寄りに位置するように、樹脂製排水配管継手４の下部寄りに設けられている。
【００１５】
このように、熱膨張性耐火材９を床スラブ２の貫通部３の下側に配置することによって、階下の火災によって樹脂製排水配管継手４や下側の排水立管５が溶融しまたは燃焼したときに、その熱に熱膨張性耐火材９が迅速に反応して膨張し、樹脂製排水配管継手４の管路を閉塞できるようになっている。
排水配管構造１のその他の構成および材質は前述した排水配管構造の形態と同様であり、共通する部分には共通符号を付して説明を省略する（以下、他の形態において同じ）。
【００１６】
図３に示される他の排水配管構造の形態では、樹脂製排水配管継手４として排水集合管
を用いており、この点が前述した２つの形態と異なる。
樹脂製排水配管継手４（排水集合管）は、管本体１１を備えており、この管本体１１の上下各端部には、排水立管５（図例では立主管）が接続される立管接続部６（上立管接続部６ａ、下立管接続部６ｂ）が形成されている。また、この管本体１１の中途部には、排水横枝管１２が接続される横枝管接続部１３が形成されている。
【００１７】
本形態に係る排水配管構造１は、樹脂製排水配管継手４の各立管接続部６ａ、６ｂに樹脂製等の排水立管５（排水管）が接続され、横枝管接続部１３に樹脂製等の排水横枝管１２（排水管）が接続されることによって構成されている。
樹脂製排水配管継手４は、その中途部が最初に説明した形態と同様に、床スラブ２の貫通部３に固定されており、上立管接続部６ａ、および横枝管接続部１３が床スラブ２の上面２ａから上方に突出（または露出）して配置されている。一方、樹脂製排水配管継手４の下部は、床スラブ２の下面２ｂから下方に突出されている。
【００１８】
管本体１１の中途部内面には、排水管路を流れる排水を管路内面に沿った旋回流にするための旋回羽根１４が設けられている。この旋回羽根１４は、前記横枝管接続部１３よりも下方位置に形成されている。
横枝管接続部１３と旋回羽根１４の間の管本体１１の中途部外周面には、図１における排水配管構造の形態と同様な熱膨張性耐火材９が設けられている。横枝管接続部１３と旋回羽根１４の間の中間部分は、円筒状とされており、横枝管接続部１３や旋回羽根１４が設けられた部分と比べて形状が単純になっている。
【００１９】
したがって、この中間部分は、その強度が比較的低くなっており、この中間部分に熱膨張性耐火材９を設けることによって、火災時にこの熱膨張性耐火材９が膨張して管路を閉塞する場合に、この中間部分を容易に押しつぶすことができ、横枝管接続部１３や旋回羽根１４が邪魔になることがなく、排水管路を確実かつ迅速に閉塞できるようになっている。
【００２０】
図４の形態では、図３に示される形態と同様に樹脂製排水配管継手４に排水集合管を用いているが、この排水集合管の壁部内に熱膨張性耐火材９が埋設されている点が図３における形態と異なる。
この形態では、熱膨張性耐火材９は筒状に形成されており、樹脂製排水配管継手４の全周にわたって埋設されている。また、この熱膨張性耐火材９は、床スラブ２の貫通部３に対応して埋設されており、この熱膨張性耐火材９の上下の幅は、スラブ厚とほぼ同じになっている。
【００２１】
このように、熱膨張性耐火材９を樹脂製排水配管継手４の壁部内に埋設することで、火災時に樹脂製排水配管継手４が燃焼等した熱によって熱膨張性耐火材９が膨張し、管本体１１を押しつぶして内方に変形させながらその管路を閉塞できるようになっている。
なお、この熱膨張性耐火材９の上下方向の幅を樹脂製排水配管継手４の長手方向の幅よりも小さくし、樹脂製排水配管継手４内に部分的に埋設するようにしてもよく、この場合には、複数の熱膨張性耐火材９を樹脂製排水配管継手４内に埋設することも可能である。
【００２２】
熱膨張性耐火材９を管本体１１の任意の位置に埋設できるが、管本体１１に旋回羽根１４が形成されている場合には、この旋回羽根１４と横枝管接続部１３の間の管本体の中間部分に埋設するのが望ましい。また、熱膨張性耐火材９を樹脂製排水配管継手４の内面側に露出するように設けてもよい。
図５に示される形態では、床スラブ２の貫通部３に設けられた樹脂製排水配管継手４（排水集合管）の下部が床スラブ２の下面２ｂから下方に突出しており、熱膨張性耐火材９は、耐火性の保持部材１６を介してこの樹脂製排水配管継手４の下部の外周面に設けられており、この点が他の形態と異なる。
【００２３】
ここで、「耐火性」とは、火災現場等において、所定条件下に所定時間曝されても（例えば２１０℃で２時間）、焼損乃至溶損しないことをいい、例えば、金属、セラミック等の材質のものが該当する。
保持部材１６は、断面コ字状の環状（リング状）に形成されており、その内面側に環状の熱膨張性耐火材９が設けられている。
【００２４】
保持部材は、図５に示すように、床スラブ２の下面２ｂに密着して固定されており、床スラブ２の貫通部３に近接して設けられている。したがって、熱膨張性耐火材９は、火災時に床スラブ２の下面２ｂ近傍位置で膨張して、樹脂製排水配管継手４の管路を閉塞できるようになっている。
また、熱膨張性耐火材９は、その外周を前記保持部材１６に覆われており、このため、火災時の熱によって膨張する際に、管本体１１の径方向外方には膨張せず、径方向内方のみに膨張するようになっている。これによって、熱膨張性耐火材９は迅速かつ確実に排水管路を閉塞することができる。
【００２５】
図６に示される形態では、耐火性の保持部材１６の構造が図５に示される形態と異なる。
すなわち、本形態における保持部材１６は、保持部材１６を床スラブ２に固定する固定部１７と、熱膨張性耐火材９を保持する保持部１８を有している。
固定部１７はアンカーボルトにより構成されており、その一端部が床スラブ２の下面２ａ側に固定されている。
【００２６】
保持部１８は一対の長尺状の金属製板材によって構成され、この一対の板材の中途部には、円弧上の湾曲部１９が形成されている。この湾曲部１９の内面には、シート状の熱膨張性耐火材９がこの湾曲部１９の湾曲形状に沿って固着されている。
この一対の板材は互いに対向した状態で、樹脂製排水配管継手４の下部に取り付けられている。このとき、一対の板材の湾曲部１９同士でこの樹脂製排水配管継手４の下部を挟んだ状態になっている。この状態では、熱膨張性耐火材９は、前記板材と樹脂製排水配管継手４の下部の外周面との間に位置している。
【００２７】
前記板材の端部は、固定部１７であるアンカーボルトに、ナット２０を介して固定されている。保持部１８は、前記アンカーボルトに螺合されたナット２０の位置を変更することで、その上下位置を変更できるようになっている。また、保持部１８は、床スラブ２の下面２ｂにできるだけ近接または密着するように配置される。
この本形態に係る熱膨張性耐火材９は、図５に示される形態と同様に、火災時に床スラブ２の下面２ｂ近傍位置で膨張して、樹脂製排水配管継手４の管路を閉塞できるようになっている。
【００２８】
なお、排水配管構造は上記した形態に限らず、以下のように種々の変形・変更が可能である。
熱膨張性耐火材９は、樹脂製排水配管継手４の各立管接続部６ａ、６ｂと排水立管５の接合部分に設けるようにしてもよい。この場合、熱膨張性耐火材９を止水性を有する部材と共に構成し、これを立管接続部６と排水立管５の接続部分の間に設けてパッキンとして共用するような構成としてもよい。
【００２９】
熱膨張性耐火材９は、樹脂製排水配管継手４の横枝管接続部１３の外周面、内周面に設けたり、横枝管接続部１３内に埋設してもよい。なお、樹脂製排水配管継手４には複数の横枝管接続部１３を形成できる。
【産業上の利用可能性】
【００３０】
本発明は、建築物の床スラブを貫通する排水配管継手に利用できる。
【符号の説明】
【００３１】
２    床スラブ
４    樹脂製排水配管継手（排水配管継手）
５    排水立管
６    立管接続部
９    熱膨張性耐火材
１１    管本体
１２    排水横枝管
１３    横枝管接続部
【図１】
2014098305.tif 000003
【図２】
2014098305.tif 000004
【図３】
2014098305.tif 000005
【図４】
2014098305.tif 000006
【図５】
2014098305.tif 000007
【図６】
2014098305.tif 000008